(57)【要約】【課題】開封履歴明示バンドによりバージン性が確保され、キャップをスパウトに組み付けるとき、打栓によって行うことができ、そのときの周方向の位置合わせが容易にできる口栓を提供する。【解決手段】キャップ本体の下部に複数のブリッジ部を介して接続する開封履歴明示バンドを有するキャップと、キャップに螺着されるスパウトとからなる口栓であって、複数のブリッジ部のそれぞれの下方で、開封履歴明示バンドの内周面に、バンド側突起が設けられ、バンド側突起どうしの間に挟まれるように、スパウトの外周面に、スパウト側隆起部が設けられ、初回開栓時にスパウト側隆起部にバンド側突起が乗り上げて、開封履歴明示バンドを外側に膨らませ、バンド側突起の上方のブリッジ部を破断する。【選択図】図２
2014019447.tif 000002
【特許請求の範囲】
【請求項１】
キャップ本体の下部に複数のブリッジ部を介して接続する開封履歴明示バンドを有するキャップと、該キャップに螺着されるスパウトとからなる口栓であって、
前記複数のブリッジ部のそれぞれの下方で、前記開封履歴明示バンドの内周面に、バンド側突起が設けられ、前記バンド側突起どうしの間に挟まれるように、前記スパウトの外周面に、スパウト側隆起部が設けられ、初回開栓時に前記スパウト側隆起部に前記バンド側突起が乗り上げて、前記開封履歴明示バンドを外側に膨らませ、前記バンド側突起の上方の前記ブリッジ部を破断することを特徴とする口栓。
【請求項２】
前記スパウトの筒状の周壁の内側に、該スパウトを閉塞する隔壁が設けられ、該隔壁の内側部分を切断するためのプルリングが設けられていることを特徴とする請求項１に記載の口栓。
【請求項３】
前記キャップ本体に肩部を設け、該肩部が前記スパウトの筒状の側壁の上に位置することを特徴とする請求項１または２に記載の口栓。
【請求項４】
前記スパウトの外周面に設けられた雄螺子の上面と水平面との角度と、キャップの内周面に設けられた雌螺子の下面と水平面との角度が、それぞれ、４５°以上であることを特徴とする請求項１から３のいずれか１項に記載の口栓。
【請求項５】
前記スパウトの外周面に設けられた雄螺子の上面と水平面との角度と、キャップの内周面に設けられた雌螺子の下面と水平面との角度が、それぞれ、６０°以上であることを特徴とする請求項４に記載の口栓。
【発明の詳細な説明】
【技術分野】
【０００１】
本発明は、口栓に関する。更に詳細には、容器に取り付けられるスパウトと、キャップ本体の下部に接続して開封履歴明示バンドが設けられたキャップとからなる口栓に関する。
【背景技術】
【０００２】
今日では、容器内容物の品質保証やいたずら防止などのため、開封履歴を明示する開封履歴明示バンド（タンパーエビデンドバンドとも、呼ばれる。）を備えた口栓が広く使用されている。そして、この種の口栓は、開封したときには、キャップ本体と開封履歴明示バンドとの連結が切断され、これにより、口栓が開封された事実を明示するようになっている。
【０００３】
このような口栓は、例えば、容器に固定されるスパウトと、スパウトに螺合するキャップとからなり、キャップはキャップ本体の下部に、破断可能なブリッジ部（弱化部）を介して接続された開封履歴明示バンドとからなっている。
【０００４】
キャップ本体を開栓方向に旋回すると、開封履歴明示バンドとキャップ本体とを繋いでいるブリッジ部が破断され、開封履歴明示バンドが切り離され、開封履歴明示バンドが切り離されている事実により、口栓が開封されたという事実を認識できるのである。
【０００５】
例えば、下部に一箇所以上のブリッジ部によって連結された開封履歴明示バンドを有するキャップと、該キャップが螺着されるクロージャー（スパウトに相当）とからなり、クロージャーの外周壁にテーパー部を設けると共に、このテーパー部に上記開封履歴明示バンドの内周面に備えられた羽根状部材が挿入される一箇所以上の凹状部を設けた改ざん防止用クロージャー構造がある。
【０００６】
このクロージャー構造では、開封すると、キャップ本体と開封履歴明示バンド（タンパーエビデンドバンド）とを連結するブリッジ部が切断されて、開封された跡が残り、改ざん防止が可能で、更に、切り離された開封履歴明示バンドが容器を逆さまにしても落ちることがない（特許文献１）。
【０００７】
また、下部に一箇所以上のブリッジ部によって連結された開封履歴明示バンドを有するキャップと、該キャップが螺着されるクロージャー本体とからなり、開封履歴明示バンドはその先端部が自由端となるようにバンドの内周面に固設された羽根状部材を備え、クロージャー本体は、羽根状部材と掛合して開封履歴明示バンドの開栓方向への回転を阻止するラチェットと羽根状部材と掛合して開封履歴明示バンドの上方への移動を阻止する凸部とを備えた改ざん防止用クロージャー構造がある。
【０００８】
このクロージャー構造でも、開封すると同様に、キャップ本体と開封履歴明示バンド（タンパーエビデンドバンド）とを連結するブリッジ部が切断されて、開封された跡が残り、改ざん防止が可能であり、且つ、切り離された開封履歴明示バンドの脱落が防止される（特許文献２）。
【０００９】
公知文献を以下に示す。
【先行技術文献】
【特許文献】
【００１０】
【特許文献１】特開２００１−７２１０１号公報
【特許文献２】特開２００１−１３０６０８号公報
【発明の概要】
【発明が解決しようとする課題】
【００１１】
しかしながら、上述した改ざん防止クロージャーなどにおいて、スパウト（クロージャー）にキャップを組み付けるとき、キャップを廻して螺子を締めていくと、時間がかかり、生産性が悪い。そのため、スパウトにキャップを上から載せて被せて押し込む、打栓により組み付けることが行われている。
【００１２】
このように打栓により、スパウトにキャップを組み付ける場合、打栓した時にスパウトとキャップの周方向の位置がずれてしまうことがあった。これを防ぐために、成形金型内で、打栓して組み付けることも行われているが、専用機が必要であり、問題であった。特に開封履歴明示バンドを設けたキャップや、プルリングを設けたスパウトにおいては、複雑で困難であった。
【００１３】
本発明は上記した事情に鑑みてなされたもので、開封履歴明示バンドによりバージン性が確保され、キャップをスパウトに組み付けるとき、打栓によって行うことができ、そのときの周方向の位置合わせが容易にできる口栓を提供することを課題としている。
【課題を解決するための手段】
【００１４】
本発明の請求項１に係る発明は、キャップ本体の下部に複数のブリッジ部を介して接続する開封履歴明示バンドを有するキャップと、該キャップに螺着されるスパウトとからなる口栓であって、
前記複数のブリッジ部のそれぞれの下方で、前記開封履歴明示バンドの内周面に、バンド側突起が設けられ、前記バンド側突起どうしの間に挟まれるように、前記スパウトの外周面に、スパウト側隆起部が設けられ、初回開栓時に前記スパウト側隆起部に前記バンド側突起が乗り上げて、前記開封履歴明示バンドを外側に膨らませ、前記バンド側突起の上方の前記ブリッジ部を破断することを特徴とする口栓である。
【００１５】
本発明の口栓は、以上のような構成であって、開封履歴明示バンドが設けられ、バンド側突起どうしの間に挟まれるように、スパウト側隆起部が設けられているので、初回開封時にブリッジ部が破断されることによって、開封されたことがわかりバージン性が確保される。また、キャップをスパウトに組み付けるとき、周方向の位置合わせが容易で、打栓によって組み付けることができる。
【００１６】
本発明の請求項２の発明は、前記スパウトの筒状の周壁の内側に、該スパウトを閉塞する隔壁が設けられ、該隔壁の内側部分を切断するためのプルリングが設けられていることを特徴とする請求項１に記載の口栓である。
【００１７】
本発明は、プルリングが設けられているので、スパウトの周方向の位置が容易に確認できる。
【００１８】
本発明の請求項３の発明は、前記キャップ本体に肩部を設け、該肩部が前記スパウトの筒状の側壁の上に位置することを特徴とする請求項１または２に記載の口栓である。
【００１９】
本発明はさらに、キャップに肩部を設け、肩部が前記スパウトの筒状の側壁の上に位置するので、スパウトとキャップとを成形後にセットするときに、肩部を押しさげるように打栓すると、スパウトに設けられた雄螺子とキャップに設けられた雌螺子が容易にはめ込まれ、また、バンド側突起のはめ込みも容易に行うことができる。
【００２０】
本発明の請求項４の発明は、前記スパウトの外周面に設けられた雄螺子の上面と水平面との角度と、キャップの内周面に設けられた雌螺子の下面と水平面との角度が、それぞれ、４５°以上であることを特徴とする請求項１から３のいずれか１項に記載の口栓である。
【００２１】
本発明は、スパウトの雄螺子の上面と水平面との角度と、キャップの雌螺子の下面と水平面との角度が、それぞれ、４５°以上であるので、スパウトの雄螺子をキャップの雌螺子が容易に乗り越えることができ、打栓によって容易にはめ込まれ、組み付けることができる。
【００２２】
本発明の請求項５の発明は、前記スパウトの外周面に設けられた雄螺子の上面と水平面との角度と、キャップの内周面に設けられた雌螺子の下面と水平面との角度が、それぞれ、６０°以上であることを特徴とする請求項４に記載の口栓である。
【００２３】
本発明は、スパウトの雄螺子の上面と水平面との角度と、キャップの雌螺子の下面と水平面との角度が、それぞれ、６０°以上であるので、スパウトの雄螺子をキャップの雌螺子が乗り越えることが更に容易にでき、打栓によって容易にはめ込まれ、組み付けることができる。
【発明の効果】
【００２４】
本発明の口栓は、初回開封時にブリッジ部が破断されることによって、開封履歴明示バンドが分離し、開封されたことがわかるので、バージン性が確保される。また、キャップをスパウトに組み付けるとき、周方向の位置合わせが容易で、打栓によって組み付けることができる。
【図面の簡単な説明】
【００２５】
【図１】本発明の口栓の一例の正面図である。
【図２】本発明の口栓の一例の縦断面図である。左半分はスパウト側隆起部のある部分での縦断面図、右半分はバンド側突起のある部分での縦断面図である。
【図３】図１のＸ−Ｘ断面図である。
【図４】本発明の口栓において、スパウトにキャップを打栓した状態を断面で示した説明図である。
【発明を実施するための形態】
【００２６】
以下本発明を実施するための形態につき説明する。
図１は、本発明の口栓の一例の正面図である。図２は、本発明の口栓の一例の縦断面図である。左半分はスパウト側隆起部でのある部分の縦断面図、右半分はバンド側突起のある部分での縦断面図である。図３は、図１のＸ−Ｘ断面図である。
【００２７】
本発明の口栓１００は、図１のように、キャップ本体１の下部に、切断可能な弱化部からなる複数のブリッジ部２を介して接続する開封履歴明示バンド３を有するキャップ４と、キャップ４に螺着されるスパウト５とからなっている。
【００２８】
キャップ本体１は、頂板部６と、頂板部６より一段下がって肩部７と、肩部７の周縁部から垂下しているスカート部８とからなっている。
【００２９】
そして、スカート部８の外面には、滑り止め用のローレット９が形成されており、手で廻して、キャップ本体１の閉栓方向及び開栓方向への旋回をスムーズに行えるようになっている。 
【００３０】
図２のように、スカート部８の内周面には、雌螺子１０が設けられている。また、スパウト５の周壁１１の外周面には、雄螺子１２が設けられている。そして、雌螺子１０と雄螺子１２で、キャップ４のキャップ本体１はスパウト５に螺着している。
【００３１】
この螺着している雌螺子１０と雄螺子１２の上にキャップ本体１の肩部７が位置するように設けられている。
【００３２】
そして、キャップ本体１の下端に設けられたブリッジ部２の下方で、開封履歴明示バンド３の内周面にバンド側突起１３が設けられている。また、スパウト５の周壁１１の外周面には、雄螺子１２の下方にリング状突起１４が設けられていて、バンド側突起１３が上に行かないようになっている。
【００３３】
スパウト５の外周面に、スパウト側隆起部１５が設けられていて、バンド側突起１３どうしの間に挟まれるように位置している。このため、初回開栓時にキャップ本体１を開栓方向に廻すと、スパウト側隆起部１５によりバンド側突起１３の回転が阻止され、また、リング状突起１４によりバンド側突起１３は上にも移動できず、その結果、開封履歴明示バンド３がその位置で留まり、キャップ本体１のみが回転して上に移動する。そのため、ブリッジ部２が破断される。
【００３４】
スパウト５の周壁１１の内側の下端には、周壁１１下端を塞ぐ、隔壁１６が設けられていて、隔壁１６と周壁１１の間には、薄肉部１７が設けられている。そして、薄肉部１７近傍の隔壁１６の一隅には、プルリング１８が接続されている。プルリング１８は、指をかけて引っ張るためのリング部１８ａと、リング部１８ａと隔壁１６を接続させる支柱部１８ｂとからなっている。
【００３５】
リング部１８ａに指をかけて引っ張ると、支柱部１８ｂを介し、隔壁１６が引っ張られ、薄肉部１７が破断されて、隔壁１６が取り外され、スパウト５が開口するようになっている。
【００３６】
スパウト５の下端には、外方に広がるフランジ状の接続部１９が設けられていて、接続部１９で液体紙容器などにシールして、取り付けられるようになっている。また、スパウト５の周壁１１の下面には、周壁１１と同心円状に凹んだスパウト溝２０が設けられている。
【００３７】
そして、スパウト溝２０には、スパウト溝２０を仕切るように、均等な間隔を置いて、複数のスパウト溝仕切部２１が、接続部１９の下面と面位置を合わせて設けられている。このスパウト溝２０により、液体用紙容器に超音波シールで口栓１００を取り付けるときに振動を吸収させ、振動によるクラックが薄肉部１７に発生するのを防ぐようになっている。
【００３８】
図３は、図１のＸ−Ｘ断面図である。
キャップ本体１の下端に設けられたブリッジ部２の下方には、図３のように、開封履歴明示バンド３の内周面にバンド側突起１３が設けられている。また、スパウト５の外周面にスパウト側隆起部１５が設けられていて、スパウト側隆起部１５は、バンド側突起１３の間に挟まれるように配置されている。
【００３９】
バンド側突起１３とスパウト側隆起部１５のそれぞれの周方向両端には傾斜を設けてある。このため、打栓してキャップ４とスパウトを組み付けるとき、バンド側突起１３とスパウト側隆起部１５の周方向の位置合わせが多少ずれて重なっても、傾斜によってずれて
噛み合うように周方向の位置が修正される。
【００４０】
また、初回開栓時にキャップ本体１を廻して開栓するとき、スパウト側隆起部１５にバンド側突起１３の回転が阻止され、開封履歴明示バンド３がその位置で留まり、キャップ本体１のみが回転して上に移動する。そのため、ブリッジ部２が破断されるようになっていて、これによりバージン性が確保されている。
【００４１】
図４は、本発明の口栓において、スパウトにキャップを打栓した状態を断面で示した説明図である。
【００４２】
キャップ４とスパウト５とは、別々におのおの成形され、打栓によって組みつけられて口栓１００として形成される。成形はインジェクション成形で行われ、ポリエチレンやポリプロピレンなどの熱可塑性樹脂が用いられる。
【００４３】
キャップ４とスパウト５とを打栓によって組み付けるには、まず、スパウト５を受け台２２にセットする。このとき、受け台２２の中央の凸部を、スパウト５の周壁１１と隔壁１６で形成される下側の窪み部に合わせて、且つ、周方向はプルリング１８の向きで合わせてセットする。
【００４４】
また、スパウト溝２０と、スパウト溝２０を仕切るように設けられたスパウト溝仕切部２１とを、受け台２２に設けられた凸部に合わせることによって、周方向の位置合わせを行う。
【００４５】
そして、クランプ２３でスパウト５の接続部１９を受け台２２に押し付けるようにして押さえる。これによって、スパウト５が固定される。固定されたスパウト５の雄螺子１２にキャップ４の雌螺子１０の周方向の位置を大体合わせて被せる。そして押え冶具２４で上から押し込む。このとき、押え冶具２４は、キャップ４の肩部７を下に押し込むように作用する。
【００４６】
このようにすると、肩部７がスパウト５の筒状の側壁１１の上に位置しているので、肩部７の下にある周壁１１とスカート部８に効率よく力が伝わり、スパウト５の周壁１１に設けられた雄螺子１２を、キャップ４のスカート部８に設けられた雌螺子１０が越えて、また、スパウト５に設けられたリング状突起１４を、キャップ４に設けられたバンド側突起１３が越えて、キャップ４とスパウト５が、図４のように組み付けられる。
【００４７】
組み付けたとき、バンド側突起１３とスパウト側隆起部１５の周方向の位置合わせが多少ずれて重なっても、図３のように、それぞれの周方向両端に傾斜を設けてあるので、ずれて噛み合うように周方向の位置が修正される。
【００４８】
また、スパウト５の周壁１１の外周面に設けられた雄螺子１２の上面と水平面との角度と、キャップ４のスカート部８の内周面に設けられた雌螺子１０の下面と水平面との角度が、それぞれ、４５°以上、できれば、６０°以上になっていることによって、キャップ４やスパウト５を形成する熱可塑性樹脂に特別に柔らかい樹脂を用いなくても、スパウト５の雄螺子１２をキャップ４の雌螺子１０が容易に乗り越えることができ、打栓で容易にはめ込まれ、組み付けることができる。
【符号の説明】
【００４９】
１００・・・口栓
１・・・キャップ本体
２・・・ブリッジ部
３・・・開封履歴明示バンド
４・・・キャップ
５・・・スパウト
６・・・頂板部
７・・・肩部
８・・・スカート部
９・・・ローレット
１０・・・雌螺子
１１・・・周壁
１２・・・雄螺子
１３・・・バンド側突起
１４・・・リング状突起
１５・・・スパウト側隆起部
１６・・・隔壁
１７・・・薄肉部
１８・・・プルリング
１８ａ・・・リング部
１８ｂ・・・支柱部
１９・・・接続部
２０・・・スパウト溝
２１・・・スパウト溝仕切部
２２・・・受け台
２３・・・クランプ
２４・・・押え冶具
【図１】
2014019447.tif 000003
【図２】
2014019447.tif 000004
【図３】
2014019447.tif 000005
【図４】
2014019447.tif 000006